(57)【要約】【課題】テレビカメラ等においてオートフォーカスの処理が実行されない間は、オートフォーカスに関する一部又は全ての回路への電力の供給を停止させることにより電力の消費を低減することができるオートフォーカスシステムを提供する。【解決手段】レンズ駆動部１０のＣＰＵ１４は、ＡＦスイッチＳ１がオフの場合にはＭＦ処理によりフォーカスデマンドＦＤからの制御信号に基づいてフォーカスレンズＦＬを制御し、ＡＦスイッチＳ１がオンされた場合にはＡＦ処理部１２から得られるピント情報に基づいてＡＦ処理（ワンショットＡＦ）によりフォーカスレンズＦＬを制御し、自動でピント合わせを行う。また、ＣＰＵ１４は、ＡＦ処理部１２の各回路への電力供給を制御し、不要な電力の消費を低減する。【選択図】      図１
2005156738.tif 000002
【特許請求の範囲】
【請求項１】
撮影レンズのフォーカスを制御し、自動でピント合わせを行うオートフォーカス手段を備えたオートフォーカスシステムにおいて、
前記オートフォーカス手段によるフォーカスの制御が停止した場合には、前記オートフォーカス手段を構成する一部又は全ての回路に電源からの電力の供給を停止させ、前記オートフォーカス手段によるフォーカスの制御が開始される場合には、前記オートフォーカス手段を構成する全ての回路に電源からの電力の供給を開始する電源制御手段を備えたことを特徴とするオートフォーカスシステム。
【請求項２】
前記電源制御手段は、前記オートフォーカス手段を構成する回路への電力の供給の開始又は停止を、前記回路を複数部に分けて段階的に行うことを特徴とする請求項１のオートフォーカスシステム。
【請求項３】
マニュアル操作により前記撮影レンズのフォーカスを駆動するマニュアルフォーカス手段を備え、前記オートフォーカス手段によるフォーカスの制御が停止している間は前記マニュアルフォーカス手段が有効になることを特徴とする請求項１又は２のオートフォーカスシステム。
【請求項４】
前記オートフォーカス手段は、光路長差を有する複数の撮像面により得られる被写体像のコントラストに基づいて前記撮影レンズのフォーカスを制御することを特徴とする請求項１乃至３のうちいずれか１のオートフォーカスシステム。
【発明の詳細な説明】
【技術分野】
【０００１】
本発明はオートフォーカスシステムに係り、特にテレビ放送用カメラ等に適用されるオートフォーカスシステムに関する。
【背景技術】
【０００２】
民生用のビデオカメラでは一般にオートフォーカス（以下、ＡＦという）でピント合わせが行われているが、テレビ放送用のカメラではカメラマンがマニュアルでフォーカス操作を行ってピント合わせを行うのが一般的である。一方、近年ではテレビ放送用のカメラでもＡＦが効果的な場合もあるため、マニュアルでのフォーカス操作時に、必要に応じてＡＦ動作を行わせることができるオートフォーカスシステムが提案されている。尚、ＡＦの方式として、特許文献１には光路長差方式のＡＦが記載されている。
【特許文献１】特開２００２−３６５５１８号公報
【発明の開示】
【発明が解決しようとする課題】
【０００３】
しかしながら、民生用ビデオカメラに比較すると、テレビ放送用のカメラではＡＦの動作時間の占める割合が非常に少ないにもかかわらず、現状ではＡＦ処理に関する回路への電力供給が常時行われているため、無駄に電力を消費しているという問題があった。電力の消費が大きくなると、バッテリ電源の場合にはバッテリの消耗時間が短くなるという問題があった。
【０００４】
本発明はこのような事情に鑑みてなされたもので、電力の消費を低減することができるオートフォーカスシステムを提供することを目的とする。
【課題を解決するための手段】
【０００５】
前記目的を達成するために、請求項１に記載の発明は、撮影レンズのフォーカスを制御し、自動でピント合わせを行うオートフォーカス手段を備えたオートフォーカスシステムにおいて、前記オートフォーカス手段によるフォーカスの制御が停止した場合には、前記オートフォーカス手段を構成する一部又は全ての回路に電源からの電力の供給を停止させ、前記オートフォーカス手段によるフォーカスの制御が開始される場合には、前記オートフォーカス手段を構成する全ての回路に電源からの電力の供給を開始する電源制御手段を備えたことを特徴としている。
【０００６】
本発明によれば、オートフォーカス手段によるフォーカスの制御が停止した間に無駄に消費される電力を低減することができる。
【０００７】
また、請求項２に記載の発明は、請求項１に記載の発明において、前記電源制御手段は、前記オートフォーカス手段を構成する回路への電力の供給の開始又は停止を、前記回路を複数部に分けて段階的に行うことを特徴としている。
【０００８】
本発明によれば、各回路部の起動時間に応じて段階的に電源の供給の開始又は停止を行わせることによってオートフォーカスの開始の遅延等を招くことなく電力の消費を低減することができる。
【０００９】
また、請求項３に記載の発明は、請求項１又は請求項２に記載の発明において、マニュアル操作により前記撮影レンズのフォーカスを駆動するマニュアルフォーカス手段を備え、前記オートフォーカス手段によるフォーカスの制御が停止している間は前記マニュアルフォーカス手段が有効になることを特徴としている。即ち、マニュアルでフォーカス操作が行われている間はオートフォーカスに関する回路への不要な電力の供給が行われないため、電力の消費が低減される。
【００１０】
また、請求項４に記載の発明は、請求項１乃至請求項３のうちいずれか１に記載の発明において、前記オートフォーカス手段は、光路長差を有する複数の撮像面により得られる被写体像のコントラストに基づいて前記撮影レンズのフォーカスを制御することを特徴としている。
【００１１】
即ち、光路長差方式と呼ばれる本方式のオートフォーカスでは、オートフォーカスに関する回路での電力消費が通常のオートフォーカスに比べて大きいため、オートフォーカスに関する回路での電力消費の低減を図ることの効果が大きい。
【発明の効果】
【００１２】
本発明によれば、オートフォーカスの処理が実行されない間は、オートフォーカスに関する一部又は全ての回路への電力の供給を停止させるようにしたため、電力の消費を低減することができる。
【発明を実施するための最良の形態】
【００１３】
以下添付図面に従って、本発明に係るオートフォーカスシステムの好ましい実施の形態について詳説する。
【００１４】
図１は、本発明が適用され、例えばテレビ放送用カメラにおいて構築されるレンズシステムの全体構成を示した制御ブロック図である。同図のレンズシステムは、テレビカメラ本体に搭載された撮像素子（例えばＣＣＤ）の撮像面に被写体光を結像する光学系（撮影レンズ）と、光学系のフォーカス、ズーム、アイリス等をモータ駆動するためのレンズ駆動部１０と、オートフォーカス（ＡＦ）に関する処理を行うためのＡＦ処理部１２と、光学系のフォーカスやズーム等をマニュアル操作部材によって電動駆動するためのフォーカスデマンドＦＤやズームデマンドＺＤ等のコントローラ等から構成されている。例えば、光学系、レンズ駆動部１０、及び、ＡＦ処理部１２は一体のレンズ装置に組み込まれる本システムの構成要素であり、コントローラはレンズ装置にケーブル等で接続される本システムの構成要素である。
【００１５】
光学系には、例えば、周知のように、フォーカスレンズ（群）ＦＬ、ズームレンズ（群）ＺＬ、アイリスＩなどの可動の光学部品や図示しない固定のレンズ群が配置されている。レンズ駆動部１０には、それらの可動の光学部品ＦＬ、ＺＬ、Ｉに対応してフォーカスモータＦＭ、ズームモータＺＭ、アイリスモータＩＭが設けられていると共に、各モータＦＭ、ＺＭ、ＩＭの動力をそれぞれ可動の光学部品ＦＬ、ＺＬ、Ｉに伝達する動力伝達機構（ギア列）ＦＧ、ＺＧ、ＩＧが設けられている。各モータＦＭ、ＺＭ、ＩＭが回動すると、対応する各光学部品ＦＬ、ＺＬ、Ｉが駆動され、例えば、フォーカスモータＦＭによりフォーカスレンズＦＬが駆動されると撮影距離（被写体距離）が変化し、ズームモータＺＭによりズームレンズＺＬが駆動されると撮影倍率（焦点距離）が変化する。アイリスモータＩＭによりアイリスＩが駆動されると絞り位置（絞り値）が変化する。
【００１６】
一方、レンズ駆動部１０にはＣＰＵ１４が配置されており、このＣＰＵ１４には、例えば、フォーカスデマンドＦＤからフォーカス制御に関するフォーカス制御信号が与えられ、ズームデマンドＺＤからズーム制御に関するズーム制御信号が与えられ、カメラ本体からアイリス制御に関するアイリス制御信号が与えられるようになっている。例えば、ＣＰＵ１４とフォーカスデマンドＦＤとの間ではシリアルコミュニケーションインターフェース（ＳＣＩ）１６、１８を通じてシリアル通信によりフォーカス制御信号などの各種信号のやり取りが行われる。また、ズームデマンドＺＤやカメラ本体からはアナログの制御信号が出力されるようになっており、Ａ／Ｄ変換器２０によりデジタル信号に変換されてＣＰＵ１４に与えられる。尚、本実施の形態におけるレンズ駆動部１０のＣＰＵ１４と、フォーカスデマンドＦＤ等のコントローラやカメラ本体との間での信号の送受信方式は一例であって、どのような方式であってもよい。
【００１７】
また、ＣＰＵ１４には、フォーカスレンズＦＬ、ズームレンズＺＬ、アイリスＩのそれぞれの現在位置を示す位置信号が各ポテンショメータＦＰ、ＺＰ、ＩＰから与えられるようになっており、ＣＰＵ１４は、フォーカス、ズーム、アイリスに関するそれぞれの制御信号及び位置信号に基づいて、フォーカスレンズＦＬ、ズームレンズＺＬ、アイリスＩが各制御信号に基づいて設定された目標位置又は目標速度となるように各モータＦＭ、ＺＭ、ＩＭを駆動するための駆動信号をＤ／Ａ変換器２２に出力する。
【００１８】
尚、一般にフォーカスデマンドＦＤやカメラ本体から与えられるフォーカス制御信号やアイリス制御信号は、フォーカスやアイリスの目標位置を指示するものであり、ズームデマンドＺＤから与えられるズーム制御信号は、ズームの目標速度を指示するものである。また、ＣＰＵ１４から出力される駆動信号は、各モータの回転速度（回転方向も含む）を指示するものであり、指示する回転速度に応じた電圧値を示す。
【００１９】
ＣＰＵ１４からＤ／Ａ変換器２２に出力された駆動信号はアナログ信号に変換され、フォーカスモータＦＭに対する駆動信号はフォーカス用アンプＦＡに入力され、ズームモータＺＭに対する駆動信号はズーム用アンプＺＡに入力され、アイリスモータＩＭに対する駆動信号はアイリス用アンプＩＡに入力される。各アンプＦＡ、ＺＡ、ＩＡは、入力された駆動信号に応じた回転速度となるように対応する各モータへの印加電圧を制御する。これによって、フォーカスレンズＦＬ、ズームレンズＺＬ、アイリスＩが各制御信号に基づく目標位置又は目標速度に設定される。
【００２０】
また、フォーカス制御に関して本システムでは、上記フォーカスデマンドＦＤからマニュアル操作部材の操作に基づいて与えられるフォーカス制御信号に従ってフォーカスレンズＦＬを制御するマニュアルフォーカス（ＭＦ）の他に、ＭＦから切り替えてコントラスト方式により自動でピント合わせを行うオートフォーカス（ＡＦ）を実行できるようになっている。本システムでは、ＡＦとしていわゆるワンショットＡＦが採用されており、ＡＦの開始を指示した後にＡＦによって一度合焦するとＡＦが停止する。ＡＦの開始の指示は、例えばフォーカスデマンドＦＤのＡＦスイッチＳ１を操作者がオンすることにより行うことができ、ＡＦが停止した場合にはＭＦに切り替わる。尚、ＡＦスイッチＳ１を継続してオンすればＡＦを継続して行わせることができる。また、ＡＦとしてワンショットＡＦではなく停止を指示するまで継続してＡＦ処理が実行されるいわゆる連続ＡＦを採用してもよい。
【００２１】
ＣＰＵ１４は、ＭＦ処理の間にＡＦスイッチＳ１がオンされたことを示す信号がフォーカスデマンドＦＤから与えられると、ＡＦ処理を開始し、詳細を後述するＡＦ処理部１２から与えられるピント情報（焦点評価値）に基づいてフォーカスレンズＦＬを制御し、合焦したと判断した場合にはＭＦ処理に復帰する。
【００２２】
同図に示すようにＡＦ処理部１２は、主に、ＣＣＤ３０、ハイパスフィルタ（ＨＰＦ）３２、Ａ／Ｄ変換器３４、ゲート回路３６、加算回路３８、ＣＰＵ４０から構成されている。ＣＣＤ３０は、例えばＡＦ用にレンズ装置に配置されており、光学系に入射してカメラ本体の本来のＣＣＤ（記録又は再生用の映像信号を取得するためのＣＣＤ）に導かれる被写体光を光学系内に配置したハーフミラー等で分岐してＡＦ用の被写体光を生成し、そのＡＦ用の被写体光をＡＦ用のＣＣＤ３０の撮像面に結像させることによって、カメラ本体のＣＣＤの撮像面に結像される画像と同一画像をＡＦ用のＣＣＤ３０で撮像する構成となっている。
【００２３】
尚、ＡＦ用のＣＣＤ３０は、カメラ本体に配置されていてもよい。また、カメラ本体の本来のＣＣＤにより得られた映像信号からピント情報を取得することも可能であり、その場合には同図のＡＦ処理部１２のＣＣＤ３０はそのカメラ本体の本来のＣＣＤを示すものと解することもできる。更に、カメラ本体の本来のＣＣＤに導かれる被写体光から分岐したＡＦ用の被写体光が導かれる光路上において、光路長差を有する位置に複数（例えば２つ）の撮像面が配置されるようにＡＦ用のＣＣＤ（例えば２つのＣＣＤ）を配置することによって、カメラ本体の本来のＣＣＤの撮像面に対して光学的に前後の異なる位置にＡＦ用のＣＣＤの撮像面を配置し、いわゆる光路長差方式のＡＦによりピント合わせを行うようにしてもよく（光路長差方式のＡＦについては後述する）、その場合に同図に示すＡＦ処理部１２のＣＣＤ３０は、光路長差を有する複数の撮像面を形成する１つ又は複数のＣＣＤを表したものと解することもできる。このとき同図に示すＨＰＦ３２、Ａ／Ｄ変換器３４、ゲート回路３６、加算回路３８についても複数の撮像面から得られた各々の映像信号を処理するＨＰＦ、Ａ／Ｄ変換器、ゲート回路、加算回路を表すものと解することができる。
【００２４】
ＡＦ用のＣＣＤ３０から得られた映像信号（輝度信号）は、まず、ＨＰＦ３２により低域周波数成分の信号が遮断されて高域周波数成分の信号のみが抽出される。その高域周波数成分の信号はＡ／Ｄ変換器２０によりデジタル信号に変換された後、ゲート回路３６により１画面のうちの所定領域（ＡＦエリア）内の信号のみが抽出される。そして、ゲート回路３６により抽出されたＡＦエリア内の高域周波数成分の信号は、加算回路３８により１画面（インターレース方式の映像信号の場合には１フィールド分）ごとに積算される。これによって得られた積算値は、被写体像のコントラストの高低を評価する焦点評価値を示し、その値はＣＰＵ４０に順次読み取られる。
【００２５】
ＣＰＵ４０は、レンズ駆動部１０のＣＰＵ１４とＳＣＩ４２、２４を通じてシリアル通信により各種情報のやり取りを行えるようになっており、上述のようにして得られた焦点評価値をピント情報としてレンズ駆動部１０のＣＰＵ１４に送信する。ＣＰＵ１４はＡＦ処理部１２から取得した焦点評価値に基づいてフォーカスレンズＦＬの位置を制御し、焦点評価値がピーク（極大）値となる位置にフォーカスレンズＦＬを移動させる。これにより、ピント合わせが自動で行われる。尚、ＡＦ処理部１２のＣＰＵ４０が焦点評価値に基づいてフォーカスレンズＦＬをレンズ駆動部１０を介して制御し、焦点評価値がピーク値となる位置にフォーカスレンズＦＬを移動させるようにしてもよい。
【００２６】
次に、上記レンズシステムにおける電源制御について説明する。レンズ駆動部１０やＡＦ処理部１２等のレンズ装置への電源は、例えば、カメラ本体又はバッテリーから供給されるようになっており、図１に示すようにＡＦ処理部１２にはレンズ駆動部１０を介する電源ラインＰＬ１を通じて電源からの電力が供給されるようになっている。また、電源ラインＰＬ１にはＣＰＵ１４によってオン／オフ制御されるスイッチＲＬ１が設けられている。
【００２７】
上述のようにＭＦからＡＦへの切り替えは、フォーカスデマンドのＡＦスイッチＳ１をオンすることにより行われるが、ＭＦからＡＦへの切り替えは、ＡＦスタンバイスイッチＳ２がオンに設定されている場合にのみ有効となっている。ＡＦスタンバイスイッチＳ２がオフの場合、ＣＰＵ１４はスイッチＲＬ１をオフにしてレンズ駆動部１０への電力の供給を行わないようにしている。このため、ＡＦを全く使わないときにはＡＦスタンバイスイッチＳ２をオフに設定しておくことによってＡＦ処理部１２で無駄に電力が消費されることが防止される。
【００２８】
一方、ＡＦスタンバイスイッチＳ２をオンにした場合、ＣＰＵ１４はスイッチＲＬ１をオンにしてレンズ駆動部１０への電力の供給を行う。このときにＡＦ処理部１２のＣＰＵ４０には無条件で電力が供給されて動作状態となるが、その他の回路には所定の条件が満たされるまで電力が供給されず、ＡＦスタンバイスイッチＳ２がオンの場合であっても実際にＡＦを動作させるまでは省電力化が図られている。
【００２９】
ＡＦ処理部１２内においてレンズ駆動部１０からの電源ラインＰＬ１はＣＰＵ４０への電源ラインのほかに大きく分けると２つに分けられており、ＡＦ処理部１２を構成する処理部のうち、電源がオンされてから起動するまで（正常に動作するまで）の時間が長い処理部（起動に所定時間以上を要する処理部）には、電源ラインＰＬ２により電力が供給され、それ以外の処理部には電源ラインＰＬ３から電力が供給されるようになっている。本実施の形態では起動までの時間が長い（起動の遅い）処理部としてＣＣＤ３０のみが電源ラインＰＬ２から電力が供給されるようになっている。尚、ＡＦ処理部１２内の処理部のうち起動が速いか遅いかは各処理部の回路構成等によるため、ＣＣＤ３０が起動の遅い処理部に該当するとも限らず、また、他の処理部が起動の遅い処理部に該当する場合もあり、電源ラインＰＬ２、ＰＬ３のそれぞれに接続する処理部は本実施の形態の場合に限らない。
【００３０】
電源ラインＰＬ２、ＰＬ３にはそれぞれＣＰＵ４０によってオン／オフ制御されるスイッチＲＬ２、ＲＬ３が設けられており、スイッチＲＬ２のオン／オフを切り替えることによってＣＣＤ３０への電力の供給が開始又は停止する。スイッチＲＬ３のオン／オフを切り替えることによってＣＣＤ３０以外の処理部、即ち、ＨＰＦ３２、Ａ／Ｄ変換器３４、ゲート回路３６、加算回路３８への電力の供給が開始又は停止する。
【００３１】
レンズ駆動部１０のＣＰＵ１４は、ＣＰＵ４０に対してスイッチＲＬ２、ＲＬ３のオン／オフを指示し、ＣＰＵ４０にスイッチＲＬ２、ＲＬ３のオン／オフの切り替えを行わせる。詳細は後述するが、各スイッチＲＬ２、ＲＬ３は、少なくともＡＦスイッチＳ１がオンされてＡＦ処理を実行する際には、いずれもがオンに設定されてＡＦ処理部１２の全ての回路（処理部）に電力が供給され、全ての処理部が動作状態となる。
【００３２】
一方、ＡＦ処理が実行されていない場合には少なくともスイッチＲＬ３はオフに設定されてＣＣＤ３０以外の処理部への電力の供給が行われず、省電力化が図られる。スイッチＲＬ２は、ＭＦの操作（フォーカスデマンドＦＤのマニュアル操作）が所定時間以上継続して行われていない場合にはＡＦも行われる可能性がほとんどないと判断されてオフに設定され、省電力化が図られる。ＭＦの操作が行われているか、又は、ＭＦの操作が停止してから前記所定時間以上経過していない場合にはＡＦが行われる可能性があるためスイッチＲＬ２がオンに設定される。このとき、起動の遅いＣＣＤ３０に電力が供給されておりＣＣＤ３０は動作状態（又は、動作可能状態）にあるため、もし、ＡＦスイッチＳ１がオンされた場合でもスイッチＲＬ３をオンにして起動の遅いＣＣＤ３０以外の処理部を起動させるだけで瞬時にＡＦ処理を開始することができるようになっている。
【００３３】
次に、電源制御に関するレンズ駆動部１０のＣＰＵ１４の処理手順を図２のフローチャートを用いて説明する。ＣＰＵ１４は所要の初期設定を行った後（ステップＳ１０）、電源制御以外の処理を実行すると（ステップＳ１２）、次に、ＡＦスタンバイスイッチＳ２がオンか否かを判定する（ステップＳ１４）。ＮＯと判定した場合にはＡＦ処理部１２への電源ラインＰＬ１のスイッチＲＬ１をオフに設定し（ステップＳ１６）、ＡＦ処理部１２への電力の供給を行わないようする。そして、ステップＳ１２の処理に戻る。
【００３４】
一方、ステップＳ１４においてＹＥＳと判定した場合には、スイッチＲＬ１をオンに設定してＡＦ処理部１２への電力の供給を行い、ＡＦスタンバイ状態とする（ステップＳ１８）。これによって、ＡＦ処理部１２のＣＰＵ４０が起動する。
【００３５】
次にＣＰＵ１４は、ＡＦスイッチＳ１がオンされたか否かを判定する（ステップＳ２０）。ＮＯと判定した場合には、ＡＦ処理部１２のＣＰＵ４０に電源ラインＰＬ３のスイッチＲＬ３をオフに設定するように指示する（ステップＳ２２）。これにより、ＨＰＦ３２、Ａ／Ｄ変換器３４、ゲート回路３６、加算回路３８等の起動の速い処理部への電力の供給は行われない。
【００３６】
続いてＣＰＵ１４は、フォーカスデマンドＦＤの操作があったか否かを判定する（ステップＳ２４）。ＹＥＳと判定した場合には、COUNT値を０に設定すると共に（ステップＳ２６）、ＡＦ処理部１２のＣＰＵ４０に電源ラインＰＬ２のスイッチＲＬ２をオンに設定するように指示する（ステップＳ２８）。これにより、起動の遅いＣＣＤ３０への電力の供給が行われる。ステップＳ２８の処理の後、ステップＳ１２の処理に戻る。
【００３７】
ステップＳ２４においてＮＯと判定した場合には、COUNT値を１増加させると共に（ステップＳ３０）、COUNT値が所定値ｎを超えたか否かを判定する（ステップＳ３２）。即ち、フォーカスデマンドＦＤの操作（又はＡＦ処理）が停止してから一定時間以上経過したか否かを判定する。スイッチＲＬ２をオンにした状態（ＣＣＤ３０への電力の供給を行っている状態）を維持してステップＳ１２の処理に戻る。
【００３８】
一方、ステップＳ３２でＹＥＳと判定した場合にはＡＦ処理部１２のＣＰＵ４０にスイッチＲＬ２をオフに設定するように指示する（ステップＳ３４）。これにより、ＣＣＤ３０への電力の供給が行われなくなる。ステップＳ３４の処理の後、ステップＳ１２の処理に戻る。
【００３９】
ステップＳ２０においてＹＥＳ、即ち、ＡＦスイッチＳ１がオンされたと判定した場合、ＣＰＵ１４はＡＦ処理部１２のＣＰＵ４０に電源ラインＰＬ２、ＰＬ３のスイッチＲＬ２、ＲＬ３を共にオンに設定するように指示する（ステップＳ３６）。これにより、ＡＦ処理部１２の全ての処理部に電力が供給され、ＡＦ処理が開始される。続いて、COUNT値を０にリセットし（ステップＳ３８）、ステップＳ１２の処理に戻る。
【００４０】
尚、ＡＦスイッチＳ１がオンされてＡＦ処理が開始された場合、ＡＦ処理はステップＳ１２の処理の一部として実行され、ＡＦ処理によって合焦が得られると、ステップＳ１４からの処理が実行されるため、ステップＳ２０の判定時にＡＦ処理が行われていることはない。従って、ステップＳ２０においてＡＦスイッチＳ１がオフと判定され、次のステップＳ２２においてスイッチＲＬ３がオフされる場合にＡＦ処理が未完了の状態にあることはない。即ち、ＡＦ処理が完了しない限り、スイッチＬＲ３（及びスイッチＲＬ２）がオフになることはない。
【００４１】
次に、上記レンズシステムのＡＦ方式として採用可能な光路長差方式のＡＦについて概要を説明する。図３は、光路長差方式のＡＦでの光学系（撮影レンズ）の構成を示した図である。同図に示すように撮影レンズ５０には光軸Ｏに沿ってフォーカスレンズＦＬ、変倍系及び補正系（図示せず）からなるズームレンズＺＬ、アイリスＩ、前側リレーレンズＲＬＡ及び後側リレーレンズＲＬＢからなるリレーレンズ（リレー光学系）等が配置されている。
【００４２】
リレー光学系の前側リレーレンズＲＬＡと後側リレーレンズＲＬＢとの間には、ＡＦ用の被写体光を映像用の被写体光から分岐するためのハーフミラー５２が配置される。このハーフミラー５２は、撮影レンズ５０の光軸Ｏに対して略４５度傾斜して設置されており、前側リレーレンズＲＬＡを通過した被写体光の例えば１／３の光量を直角に反射して、映像用の被写体光から分岐する。
【００４３】
ハーフミラー５２を透過した被写体光は、映像用の被写体光として撮影レンズ５０の後端側から射出されたのち、カメラ本体５４の撮像部５６に入射する。撮像部５６の構成については省略するが、撮像部５６に入射した被写体光は、例えば色分解光学系により、赤色光、緑色光、青色光の３色に分解され、各色ごとの映像用撮像素子（以下、映像用ＣＣＤという）の撮像面に入射する。これによって記録又は再生用のカラー映像が撮影される。なお、図中のピント面Ｐは、各映像用ＣＣＤの撮像面に対して光学的に等価な位置を撮影レンズ５０の光軸Ｏ上に示したものである。
【００４４】
一方、ハーフミラー５２で反射された被写体光は、ＡＦ用の被写体光として光軸Ｏに対して垂直な光軸Ｏ′に沿って進行し、リレーレンズＲＬＣに入射する。そして、このリレーレンズＲＬＣで集光されてＡＦ用撮像部５８に入射する。
【００４５】
ＡＦ用撮像部５８は、光分割光学系を構成する２つのプリズム６０Ａ、６０Ｂと、ＡＦ用の一対の撮像素子６２Ａ、６２Ｂ（以下、ＡＦ用ＣＣＤという）とで構成されている。尚、上記レンズシステムにおいて本構成を適用する場合、図１のＡＦ処理部１２に示したＣＣＤ３０は、本構成における２つのＡＦ用ＣＣＤ６２Ａ及び６２Ｂを１つのブロックで示したものと解することができ、ＡＦ用ＣＣＤ６２Ａ及び６２Ｂは共に、電源ラインＰＬ２のスイッチＲＬ２のオン／オフによって電力の供給が開始又は停止される。
【００４６】
上述したようにハーフミラー５２で反射した被写体光は、光軸Ｏ′に沿って進行し、まず、第１プリズム６０Ａに入射する。そして、第１プリズム６０Ａのハーフミラー面Ｍで反射光と透過光に等分割される。このうち反射光は一方のＡＦ用ＣＣＤ６２Ａの撮像面に入射され、透過光は他方のＡＦ用ＣＣＤ６２Ｂに入射される。このとき、各ＡＦ用ＣＣＤ６２Ａ、６２Ｂの撮像面には、それぞれ撮影レンズ５０に入射した全被写体光のうちの約１／６の光量が入射する。
【００４７】
図４は、カメラ本体５４の映像用ＣＣＤに入射する被写体光の光軸と一対のＡＦ用ＣＣＤ６２Ａ、６２Ｂに入射する被写体光の光軸を同一直線上に表した図である。同図に示すように、一方のＡＦ用ＣＣＤ６２Ａに入射する被写体光の光路長は、他方のＡＦ用ＣＣＤ６２Ｂに入射する被写体光の光路長よりも短く設定され、映像用ＣＣＤの撮像面（ピント面Ｐ）に入射する被写体光の光路長は、その中間の長さとなるように設定されている。すなわち、一対のＡＦ用ＣＣＤ６２Ａ、６２Ｂ（の撮像面）は、それぞれ映像用ＣＣＤの撮像面（ピント面Ｐ）に対して前後等距離（ｄ）の位置に配置されている。
【００４８】
このように配置された一対のＡＦ用ＣＣＤ６２Ａ、６２Ｂにより、撮影レンズ５０に入射した被写体光が映像用ＣＣＤの撮像面（ピント面Ｐ）に対して前後等距離の位置で撮像され、各ＡＦ用ＣＣＤ６２Ａ、６２Ｂから映像信号が得られる。尚、一対のＡＦ用ＣＣＤ６２Ａ、６２Ｂは、映像用ＣＣＤの撮像面に対して前後等距離の位置に撮像面を配置したときに撮像される映像を撮像するものであり、必ずしもＡＦ用ＣＣＤ６２Ａ、６２Ｂと映像用ＣＣＤとの光路長の関係が図４のようになる場合に限らない。また、ＡＦ用ＣＣＤ６２Ａ、６２Ｂは後述のようにＡＦ用の映像信号を取得するものであり、カラー映像を撮像するものである必要はなく、白黒画像を撮像するＣＣＤでよい。
【００４９】
各ＡＦ用ＣＣＤ６２Ａ、６２Ｂから得られた映像信号はそれぞれ図１のＡＦ処理部１２に示したＨＰＦ３２、Ａ／Ｄ変換器３４、ゲート回路３６、加算回路３８と同様の構成の回路により処理され、２つの焦点評価値が求められる。図１に示したレンズシステムにおいて本構成の光路長差方式のＡＦを適用する場合、図１のＡＦ処理部１２に示したＨＰＦ３２、Ａ／Ｄ変換器３４、ゲート回路３６、加算回路３８は、２つのＡＦ用ＣＣＤ６２Ａ及び６２Ｂにより得られた２つの映像信号からそれぞれ焦点評価値を求めるために各映像信号に対して設けられるＨＰＦ、Ａ／Ｄ変換器、ゲート回路、加算回路をそれぞれ１つずつブロックで示したものと解することができ、これらの処理部は、電源ラインＰＬ３のスイッチＲＬ３のオン／オフによって電力の供給が開始又は停止される。
【００５０】
ＡＦ用ＣＣＤ６２Ａから得られる焦点評価値をｃｈＡの焦点評価値といい、ＡＦ用ＣＣＤ６２Ｂから得られる焦点評価値をｃｈＢの焦点評価値というものとすると、ｃｈＡとｃｈＢの焦点評価値を取得し、それらの値を比較することによって撮影レンズ５０の現在のピント状態（前ピン、後ピン、合焦）を検出することができる。即ち、ｃｈＡの焦点評価値の方がｃｈＢの焦点評価値よりも大きい場合には前ピンの状態であると判断することができ、ｃｈＢの焦点評価値の方がｃｈＡの焦点評価値よりも大きい場合には後ピンの状態であると判断することができる。ｃｈＡとｃｈＢの焦点評価値が一致した場合には合焦の状態と判断することができる。従って、ｃｈＡとｃｈＢの焦点評価値から前ピンであると判断される状態の場合には、フォーカスレンズＦＬを無限遠方向に移動させ、後ピンであると判断される状態の場合には、フォーカスレンズＦＬを至近方向に移動させ、合焦であると判断される状態となった場合には、フォーカスレンズＦＬをその位置で停止させることによって、フォーカスレンズＦＬを合焦位置に移動させることができる。
【００５１】
以上のような光路長差方式のＡＦを採用したレンズシステムではＡＦ処理部１２を構成する回路規模が大きくなるため電力の消費も大きくなる。従って、上述のようにＡＦ処理部１２の電源を制御することの効果が大きい。
【００５２】
以上、上記実施の形態では、図１においてレンズ駆動部１０とＡＦ処理部１２はそれぞれ個別にＣＰＵを備え、それらのＣＰＵ間で信号のやり取りを行うようにしていたが、それぞれのＣＰＵでの処理を１つのＣＰＵで行うようにしてもよい。
【００５３】
また、上記実施の形態では、ＡＦスタンバイスイッチＳ２によってＡＦスタンバイ状態をオン／オフし、また、ＭＦの操作状況に応じてＡＦ処理部１２のＣＣＤ３０への電力供給をオン／オフするようにしたが、これらの電源制御は必ずしも行えるようにする必要はない。また、起動の遅い処理部（上記実施の形態ではＣＣＤ３０が該当する）には、ＭＦの操作状況に応じてではなく、ＡＦスタンバイ状態のときに電力を供給し起動させるようにするようにしてもよい。
【図面の簡単な説明】
【００５４】
【図１】図１は、本発明が適用されるレンズシステムの全体構成を示した制御ブロック図である。
【図２】図２は、電源制御に関するレンズ駆動部のＣＰＵの処理手順を示したフローチャートである。
【図３】図３は、光路長差方式のＡＦにおける光学系（撮影レンズ）の構成を示した図である。
【図４】図４は、カメラ本体の映像用ＣＣＤとＡＦ用ＣＣＤとを同一光軸上に表した図である。
【符号の説明】
【００５５】
１０…レンズ駆動部、１２…ＡＦ処理部、１４、４０…ＣＰＵ、３０…ＣＣＤ、３２…ハイパスフィルタ、３４…Ａ／Ｄ変換器、３８…加算回路、ＦＤ…フォーカスデマンド、ＦＬ…フォーカスレンズ、ＦＭ…フォーカスモータ、Ｓ１…ＡＦスイッチ、Ｓ２…ＡＦスタンバイスイッチ、ＰＬ１、ＰＬ２、ＰＬ３…電源ライン、ＲＬ１、ＲＬ２、ＲＬ３…スイッチ
【図１】
2005156738.tif 000003
【図２】
2005156738.tif 000004
【図３】
2005156738.tif 000005
【図４】
2005156738.tif 000006